(57)【要約】      （修正有）【課題】スカートブラシに付着したゴミや埃を効率よく回収し、常に衛生的なスカートブラシにする。【解決手段】乗客コンベアのスカートブラシ清掃装置６は、乗客コンベアのスカートガード５から踏段４方向にブラシ先端が突出して設けられたスカートブラシ３の上下を挟むように配置され、該スカートブラシ３の上下でそれぞれ互いに逆回転し、該スカートブラシ３の上下を回転移動するガイドローラ１０ａ、１０ｂと、該ガイドローラ１０ａ、１０ｂの軸芯と共に回転するローラ軸１１ａ、１１ｂと、該ローラ軸１１ａ、１１ｂと直交し、該スカートブラシ３と平行な方向を軸芯として該スカートブラシ３の上下でそれぞれ互いに逆回転するブラシ軸８ａ、８ｂと、該ブラシ軸８ａ、８ｂの周りに取り付けられ、該スカートブラシ３と接触して互いに逆回転する清掃ブラシ７ａ、７ｂと、該清掃ブラシ７ａ、７ｂに接触する粘着シート９とを備える。【選択図】図３
2012188235.tif 000002
【特許請求の範囲】
【請求項１】
無端状に連結されて循環移動する踏段と、該踏段の移動方向に沿って該踏段の両側に立設された欄干と、該欄干下部に位置し、該踏段の両側に設けられたスカートガードと、該スカートガードから踏段方向にブラシ先端が突出して該スカートガードと該踏段との隙間を覆い、該踏段の移動方向に沿って該スカートガードに設けられたスカートブラシを有する乗客コンベアのスカートブラシ清掃装置であって、
前記スカートブラシの上下を挟むように配置され、前記スカートガードから踏段方向へ突出する方向を軸芯としてスカートブラシの上下でそれぞれ互いに逆回転し、該スカートブラシの上下を回転移動するガイドローラと、
前記ガイドローラのそれぞれの軸芯を延長形成して該ガイドローラの軸芯と共に回転するローラ軸と、
該ローラ軸と直交し、スカートブラシと平行な方向を軸芯としてスカートブラシの上下でそれぞれ互いに逆回転するブラシ軸と、
前記ブラシ軸の周りに取り付けられ、前記スカートブラシと接触して互いに逆回転する清掃ブラシと、
前記清掃ブラシに接触する粘着シートと
を備えてなることを特徴とするスカートブラシ清掃装置。
【請求項２】
伸縮可能な棒状体の両端それぞれに、清掃ブラシが外方へ向くように取り付けてなることを特徴とする請求項１に記載のスカートブラシ清掃装置。
【請求項３】
踏段に対する固定部材を設け、踏段の移動共にスカートブラシの上下をガイドローラが回転移動するように構成したことを特徴とする請求項１又は２に記載のスカートブラシ清掃装置。
【請求項４】
取っ手を設けてなることを特徴とする請求項１又は２に記載のスカートブラシ清掃装置。
【請求項５】
粘着シートを取替可能としたことを特徴とする請求項１〜４のいずれ１項に記載のスカートブラシ清掃装置。
【発明の詳細な説明】
【技術分野】
【０００１】
本発明の実施形態は、乗客コンベアのスカートガードに取り付けたスカートブラシの清掃装置に関する。
【背景技術】
【０００２】
エスカレータなどの乗客コンベアには、移動する踏段と固定されたスカートガードとの間に両者が接触しないように隙間が設けられている。この隙間に異物が混入したり、靴が挟まることがないように、スカートガードから踏段方向に突出したスカートブラシが設置されている。
【先行技術文献】
【特許文献】
【０００３】
【特許文献１】特開２００３−３００６８８号公報
【発明の概要】
【発明が解決しようとする課題】
【０００４】
従来よりスカートガードパネルを清掃するための清掃用具は知られているが、スカートブラシには決まった清掃方法がなく、作業者が独自の方法で清掃を行っているのが実情である。また、スカートブラシは踏段付近に設置されており、清掃作業が行いにくく、さらに作業者から見えない位置に付着したゴミや埃などが清掃されずに放置されてしまう可能性がある。このような現状ではスカートブラシの汚れがひどくなり、本来の機能や衛生面の確保が課題となる。そのため作業者が効率よく清掃作業を行い得るようにすることで、常に安全で衛生的なスカートブラシを維持しておく必要がある。
【０００５】
本発明の実施形態は、上記のような課題に着目したものであって、スカートブラシに付着したゴミや埃を効率よく回収し、常に衛生的なスカートブラシにするための清掃装置を提供することを目的とする。
【課題を解決するための手段】
【０００６】
本発明の実施形態に係るスカートブラシ清掃装置（以下、「清掃装置」という。）は、無端状に連結されて循環移動する踏段と、該踏段の移動方向に沿って該踏段の両側に立設された欄干と、該欄干下部に位置し、該踏段の両側に設けられたスカートガードと、該スカートガードから踏段方向にブラシ先端が突出して該スカートガードと該踏段との隙間を覆い、該踏段の移動方向に沿って該スカートガードに設けられたスカートブラシを有する乗客コンベアのスカートブラシ清掃装置であって、前記スカートブラシの上下を挟むように配置され、前記スカートガードから踏段方向へ突出する方向を軸芯としてスカートブラシの上下でそれぞれ互いに逆回転し、該スカートブラシの上下を回転移動するガイドローラと、前記ガイドローラのそれぞれの軸芯を延長形成して該ガイドローラの軸芯と共に回転するローラ軸と、該ローラ軸と直交し、スカートブラシと平行な方向を軸芯としてスカートブラシの上下でそれぞれ互いに逆回転するブラシ軸と、前記ブラシ軸の周りに取り付けられ、前記スカートブラシと接触して互いに逆回転する清掃ブラシと、前記清掃ブラシに接触する粘着シートとを備えてなることを特徴とする。
【図面の簡単な説明】
【０００７】
【図１】本発明の実施形態に係るエスカレータの概要を示す一部省略側面図である。
【図２】本発明の実施例１に係る清掃装置の斜視図である。
【図３】本発明の実施例１に係る清掃装置を取り付けた状態における内部構造を示す断面図である。
【図４】本発明の実施例１に係る清掃装置を取り付けた状態を示す側面図である。
【図５】本発明の実施例２に係る清掃装置を取り付けた状態を示す正面図である。
【図６】本発明の実施例３に係る清掃装置を取り付けた状態を示す正面図である。
【図７】本発明の実施例４に係る清掃装置を取り付けた状態を示す正面図である。
【発明を実施するための形態】
【０００８】
以下、本発明の実施の形態に係る清掃装置の実施例について、図面を参照して説明する。
【実施例１】
【０００９】
図１はエスカレータの概要を示し、図２〜図４は第一の実施の形態を示す。図１において、１はエスカレータを示し、エスカレータ１は複数の踏段４が無端状に連結され、不図示の駆動源により所定の軌道を循環移動するように構成されており、この踏段４の循環移動により、踏段４が下階側から上階側へ、また、上階側から下階側へ移行すると共に踏段４に乗った乗客が移動できるようになっている。踏段４の移動方向に添って、踏段４の両側に欄干２が立設されており、欄干２の下部にはスカートガード５が設けられている。
【００１０】
前記スカートガード５には、図３に示すように、スカートガード５から踏段方向に突出するブラシ先端を有するスカートブラシ３が設けられている。スカートブラシ３は、スカートガード５と該踏段４との隙間を覆うように、踏段４から若干上方であって踏段４の移動方向に沿ってスカートガード３に設けられている。
【００１１】
清掃装置６は、図２に示されるようにハウジング内に収納されたものであって、ハウジング内において、スカートブラシ３に添って動かすことにより、スカートブラシ３を清掃する機能を有する清掃ブラシ７ａ、７ｂを備えている。
【００１２】
すなわち、清掃装置６は、スカートブラシ３の上下を挟むように配置され、スカートブラシ３の上下をスカートブラシ３の長さ方向に回転移動するガイドローラ１０とを備えている。１０ａは上側ガイドローラ、１０ｂは下側ガイドローラである。ガイドローラ１０は、スカートガード５から踏段方向へ突出する方向を軸芯としてスカートブラシの上下で互いに逆回転する。このガイドローラ１０は清掃装置６をスカートブラシ３に添って動かすとスカートブラシ３に添って回転する。
【００１３】
ガイドローラ１０には、それぞれのガイドローラ１０の軸芯を延長形成したローラ軸１１が設けられている。１１ａは上側ローラ軸、１０ｂは下側ローラ軸である。したがって、ガイドローラ１０が回転するとローラ軸１１も同時に回転する。ローラ軸１１は、それぞれその表面にねじ歯車（ウォーム）を有している。そして、ローラ軸１１と直交し、スカートブラシ３と平行な方向を軸芯とするブラシ軸８が設けられている。８ａは上側ブラシ軸、８ｂは下側ブラシ軸である。ブラシ軸８は、それぞれの表面にローラ軸１１のねじ歯車と噛み合うはす歯歯車（ウォームホイール）を有している。ローラ軸１１はブラシ軸８とねじ歯車とはす歯歯車で連結されているため、ローラ１０が回転すればブラシ軸８も回転を行い、上側ブラシ軸８ａと下側ブラシ軸８ｂとはスカートブラシ３の上下で互いに逆回転する。
【００１４】
前記のブラシ軸８には、図３及び図４に示すように、それぞれその周りに清掃ブラシ７がスカートブラシ３と接触するように取り付けられている。７ａは上側清掃ブラシ、７ｂは下側清掃ブラシである。ブラシ軸８が回転すると清掃ブラシ７も同時に回転を行う。したがって、上側清掃ブラシ７ａと下側清掃ブラシ７ｂとは、矢符１５で示すように、逆回転しながらスカートブラシ３に接触し、清掃ブラシ７はスカートブラシ３のブラシ部分に対して絡まり、かつ、スカートブラシ３のブラシ部分を梳く方向に接触することとなる。このように、ガイドローラ１０から清掃ブラシ７までがギヤを介してつながっているため、ガイドローラ１０が回転すると清掃ブラシ７が回転する。よって、清掃装置６をスカートブラシ３に添って摺動させると、清掃ブラシ７が回転を始め、スカートブラシ３に絡まる。上下の清掃ブラシ７は回転方向が逆向きにしておく。これは上下からスカートブラシ３に絡まり、付着したゴミや埃を取り除くためである。
【００１５】
また、清掃ブラシ７には、図３に示すように、スカートブラシ３と接触する側の反対側に清掃ブラシのブラシ部分に接触するように粘着シート９が配置されている。清掃ブラシ７が回収したゴミや埃は、そのままにしていては清掃ブラシ７に溜まってしまい汚れるだけであるため、ゴミや埃は粘着シート９に付着させる。これにより清掃ブラシ７が取り除いたゴミや埃は常に粘着シート９によって除去されるため、再度スカートブラシ３と絡まるときは常にきれいな状態を維持していくことが可能である。
【００１６】
以上のように第一の実施の形態に係る清掃装置６は、清掃装置６を摺動させるだけで、スカートブラシ３の清掃を行うことが可能となる。一度摺動させると清掃ブラシ７の回転によりスカートブラシ３に付着したゴミや埃を取り除くことができる。清掃ブラシ７は上下方向からスカートブラシ３に絡まるため、作業者が見落としてしまうところも清掃することが可能となり、常に衛生的なスカートブラシ３を維持することが可能である。
【実施例２】
【００１７】
図５は第二の実施の形態を示す。本実施の形態に係る清掃装置２６は、第一の実施の形態における清掃装置６に伸縮可能な棒状体、すなわち伸縮棒１２を取り付けたものである。すなわち、伸縮棒１２を介してその両端それぞれに清掃ブラシ７が外方へ向くように清掃装置６を取り付けたものである。
【００１８】
通常エスカレータにはスカートブラシ３が両サイドについている場合が多い。このような場合に対処するために、清掃装置６を２つ用意し、それぞれをスカートブラシ３に取り付ける。さらに２つの清掃装置６を伸縮棒１２を介してその両端に連結固定すると、本実施の形態における清掃装置２６が完成する。伸縮棒１２を使用することにより、様々なタイプの欄干幅のエスカレータに対応することができる。
【００１９】
左右のスカートブラシ３に清掃装置６を取り付け、清掃装置６を摺動させる。清掃装置２６は、伸縮棒１２で清掃装置６同士を固定しているため、伸縮棒１２を動かすことにより、各清掃装置６は左右のスカートブラシ３を同時に移動するので、左右同時に清掃作業を行うことが可能である。
【００２０】
以上のように第二の実施の形態に係る清掃装置２６は、第一の実施の形態における清掃装置６と同様に清掃ブラシ７の回転によりスカートブラシ３に付着したゴミや埃を取り除くことができる。また左右同時に清掃作業が行えるため、エスカレータ一台分を一度の作業で終わらせることが可能である。
【実施例３】
【００２１】
図６は第三の実施の形態を示す。本実施の形態に係る清掃装置３６は、第一の実施の形態である清掃装置６を備えた第二の実施の形態である清掃装置２６に、踏段４に清掃装置２６が固定できるように固定部材として固定台１３を設けたものである。すなわち、踏段４に対する固定台１３部材を設けたことにより、踏段４の移動共にスカートブラシ３の上下をガイドローラが回転移動し、清掃装置３６が摺動するように構成したものである。なお、第一の実施の形態である清掃装置６単体に固定台１３を設けた構成としてもよい。
【００２２】
固定台１３で踏段４と第二の実施の形態である清掃装置２６を固定する。固定台１３は左右踏段４の上面に固定するものであり、左右の両方あるいはどちらか一方、さらに踏段４の全幅に跨るものでも使用可能である。このように踏段４の上面に設置した固定台１３に第二の実施の形態である清掃装置２６を取り付けると、スカートブラシ３は踏段４の移動方向に添って取り付けられているため、エスカレータを運転させると踏段４の移動に伴い、清掃装置３６が移動する。なお、固定台１３は踏段４とスカートブラシ３のと間隔の変化に対応できるように、固定台１３にばね材やゴム材などの伸縮材を介在させて上下方向に伸縮性を持たせてもよい。
【００２３】
以上のように第三の実施の形態に係る清掃装置３６は、第一の実施の形態における清掃装置６又は第二の実施の形態である清掃装置２６と同様に清掃装置７の回転によりスカートブラシ３に付着したゴミや埃を取り除くことができる。また、清掃装置３６が自動でスカートブラシ３上を移動するので作業者が清掃装置を移動させる必要がなくなる。他の作業を行っている間に踏段４と共に自動的に移動する清掃装置３６によりスカートブラシ３の清掃作業ができるので作業効率が上がる。
【実施例４】
【００２４】
図７は第四の実施の形態を示す。本実施の形態に係る清掃装置４６は、第一の実施の形態である清掃装置６に、作業者が楽な姿勢で清掃装置を動かすことができるように、作業者が操作する取っ手である移動棒１４を取り付けたものである。なお、第二の実施の形態である清掃装置２６に移動棒１４を取り付けた構成としてもよい。
【００２５】
清掃装置４６は、作業者が楽な姿勢で作業ができるように移動棒１４が取り付けられている。移動棒１４は清掃装置６のガイドローラ１０側とは反対方向に取り付けられている。移動棒１４を取り付けたため、作業者が楽な姿勢で清掃装置６をスカートブラシ３に添って摺動させることができる。なお、移動棒１４は長さ調節可能な棒状体で構成してもよい。
【００２６】
以上のように第四の実施の形態に係る清掃装置４６は、第一の実施の形態における清掃装置６又は第二の実施の形態である清掃装置２６と同様に清掃ブラシ７の回転によりスカートブラシ３に付着したゴミや埃を取り除くことができる。また、清掃装置４６を使用することで作業者が無理な姿勢で作業を行うことがなくなり、作業者にかかる負担を抑えることができる。
【実施例５】
【００２７】
第五の実施の形態に係る清掃装置は、図示を省略するが、第一の実施の形態〜第四の実施の形態である各清掃装置６〜４６における粘着シート９を取替可能にしたものである。
【００２８】
清掃ブラシ７が収集してきたスカートブラシ３のゴミや埃を回収するのが粘着シート９の役目であるが、粘着シート９は永久にゴミや埃を回収できるわけではない。そこで本実施の形態に係る清掃装置は、上記した各清掃装置において粘着シート９の取替を行えるようにしたものである。
【００２９】
取替可能な粘着シート９とは、粘着シート９が何層にも重なったものを使用したものである。なお、ロール状に巻いた粘着シートを使用してもよい。粘着シート９が、ゴミや埃を付着させたことによってその粘着性が低下して、ゴミや埃を付着することができなくなれば、粘着シートの表面層を１枚層を剥がし、新しい粘着シートの表面層が露出するようにして使用できるようにする。
【００３０】
以上のように第五の実施の形態に係る清掃装置は、第一の実施の形態〜第四の実施の形態である各清掃装置６〜４６と同様に清掃ブラシ７の回転によりスカートブラシ３に付着したゴミや埃を取り除くことができる。また、粘着シート９を簡単に取り替えることができるため、ゴミや埃を逃すことなく回収することが可能である。
【００３１】
なお、本実施例はエスカレータについて説明したが、動く歩道における踏段に対しても適用できるものである。また、実施の形態は例示であり、発明の範囲は実施の形態に限られるものではない。
【００３２】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１・・・・エスカレータ
２・・・・欄干
３・・・・スカートブラシ
４・・・・踏段
５・・・・スカートガード
６・・・・スカートガード清掃装置
７・・・・清掃ブラシ
７ａ・・・上側清掃ブラシ
７ｂ・・・下側清掃ブラシ
８・・・・ブラシ軸
８ａ・・・上側ブラシ軸
８ｂ・・・下側ブラシ軸
９・・・・粘着シート
１０・・・・ガイドローラ
１０ａ・・・上側ガイドローラ
１０ｂ・・・下側ガイドローラ
１１・・・・ローラ軸
１１ａ・・・上側ローラ軸
１１ｂ・・・下側ローラ軸
１２・・・・伸縮棒
１３・・・・固定台
１４・・・・移動棒
１５・・・・清掃ブラシ回転方向
【図１】
2012188235.tif 000003
【図２】
2012188235.tif 000004
【図３】
2012188235.tif 000005
【図４】
2012188235.tif 000006
【図５】
2012188235.tif 000007
【図６】
2012188235.tif 000008
【図７】
2012188235.tif 000009